(57)【要約】【課題】  物品の保温効果を合理的で簡便な構成で向上させた物品貯蔵庫を提供する。【解決手段】  物品貯蔵庫１００の貯蔵室８１の開口部分９５Ａと扉８１Ａと間の前側には密閉用部材７１を配置して奥側には対流阻止用部材７６を配置する。開口部分９５Ａの内面側９５Ｃの傾斜面９５ｘに配置したレバー状部材７５の従動側７５Ｂに対流阻止用部材７６を設ける。扉８１Ａを閉じる際に扉８１Ａ側の対向面８０ｖがレバー状部材７５の作動側７５Ａを作動して対流阻止用部材７６を対向面８０ｖに密接させて密閉用部材７１と対流阻止用部材７６との間に小さい室状の隔離区画３０を形成する。傾斜面９５ｘには溝穴部分７８ｘを設けてレバー状部材７５に弾力部材７５Ｄを設ける。扉８１Ａを開いた際に弾力部材７５Ｄの弾力によって対流阻止用部材７６を溝穴部分７８ｘに入れ込んで収納する。電気的な切換作動部分をレバー状部材７５に連動させることもできる。【選択図】        図１
2005049033.tif 000002
【特許請求の範囲】
【請求項１】
物品を冷却または加温して貯蔵する貯蔵室の本体の開口部分を閉じる扉と前記開口部分との間に、前側の密閉用部材と奥側の対流阻止用部材とにより熱伝達の隔離区画を設けた物品貯蔵庫であって、
前記開口部分の内面側に配置したレバー状部材の従動側に前記対流阻止用部材を設けるとともに、前記扉を閉じる動作によって、前記扉に設けられていて前記開口部分の内側面と対向する対向面が前記レバー状部材の作動側を作動することにより、前記対流阻止用部材を前記対向面に密接させて前記隔離区画を形成する隔離区画形成手段と、
前記開口部分の内側面に溝穴部分を設けるとともに、前記レバー状部材に弾力部材を設けることにより、前記扉を開いた際に、前記弾力部材の弾力によって前記保温用部材を前記溝穴部分に入れ込んで収納する収納手段と
を具備することを特徴とする物品貯蔵庫。
【請求項２】
磁石体を有する前記密閉用部材を前記開口部分の端面と対向する前記扉の内側面との間に設けたことを特徴とする請求項１記載の物品貯蔵庫。
【請求項３】
前記扉によって作動させる電気的な切換作動部分を前記レバー状部材の作動に連動させる連動構成を設けたことを特徴とする請求項１または請求項２記載の物品貯蔵庫。
【請求項４】
請求項１から請求項３のいずれかに記載の物品貯蔵庫を具備することを特徴とする冷蔵庫。
【請求項５】
請求項１から請求項３のいずれかに記載の物品貯蔵庫を具備することを特徴とする温蔵庫。
【発明の詳細な説明】
【技術分野】
【０００１】
この発明は、貯蔵室の開口部分に密閉用部材と保温用部材とを配置した物品貯蔵庫ならびにその利用装置に関するものである。なお、この発明において、物品の貯蔵には、物品を冷却した状態で保温する貯蔵と、物品を加温した状態で保温する貯蔵（この発明において、温蔵という）を含むものである。したがって、利用装置としては、例えば、冷蔵庫、温蔵庫、恒温槽などが含まれるものである。
【０００２】
また、上記の冷却には、冷却対象とする物品を凍結させない状態の所定の温度に冷却する構成、すなわち、一般に冷蔵と言われるものと、冷却対象とする物品を凍結させるように冷却する構成、すなわち、一般に冷凍と言われるものとを含むものであり、これらの冷却による物品貯蔵庫を設けたものを、総称して、冷蔵庫という。
【０００３】
なお、以下に説明する各図において、同一の符号で示す部分は、いずれかの図によって説明する同一符号の部分と同一の機能をもつ部分である。また、部材とは、所定の部分を構成する単一の構成材、または、複数の構成材を組み合わせた構成材をいうものである。
【背景技術】
【０００４】
こうした物品貯蔵庫の構成として、図９のような冷蔵庫としての物品貯蔵庫１００の構成（以下、第１従来技術という）が周知である。図９において、物品貯蔵庫１００は適宜に設けられた各仕切壁部分（図示せず）で仕切られた複数の貯蔵室８１・８２・８３・８４を設けて構成されており、貯蔵室８１は、図９の〔扉型構成〕のように、本体９５に対して、扉８１Ａをヒンジ部分８１ｘを支点ｐ１にして扉８１Ａを開閉することにより物品を出し入れするようにした貯蔵室（以下、扉型貯蔵室という）にしてある。
【０００５】
また、貯蔵室８２・８３・８４は、それぞれ、図９の〔引出型構成〕のように、本体９５に対して、前蓋８２Ａ・８３Ａ・８４Ａとともに引き出される引出部分８４Ｂに物品を出し入れする貯蔵室（以下、引出型貯蔵室という）にしてある。
【０００６】
そして、図１０ように、本体９５の開口部分９５Ａを閉じるために、本体９５と扉８１Ａ・前蓋８２Ａ・８３Ａ・８４Ａとの閉じ合わせ目の間、すなわち、本体９５の前面側の端面９５Ｂと、扉８１Ａ・前蓋８２Ａ・８３Ａ・８４Ａの各内側８０ｘに設けられていて端面９５Ｂと対向する対向面８０ｙには、磁石体７１Ａを有する密閉用部材７１、すなわち、マグネット付きパッキンを設けて、磁石体７１Ａの磁力により本体９５と扉８１Ａ・前蓋８２Ａ・８３Ａ・８４Ａとの各対向部分を閉塞するように、左右対称・上下対称に構成した保温のための密閉構造７０にしてある。
【０００７】
なお、密閉用部材７１は、磁石体７１Ａをパッキン部分７１ｘで包み込むとともに、パッキン部分７１ｘに蛇腹状などの伸縮可能な部分７１ｙを設けることにより、端面９５Ｂと対向面８０ｙとの対向が多少歪んでいても、目的とする閉塞を行えるように構成している。
【０００８】
また、扉８１Ａの場合には、本体９５の内側面９５Ｃのうち、端面９５Ｂ側に続く箇所の内側面９５Ｃの部分を比較的に小さく内側に傾斜させた傾斜角度θ１、例えば、１０°程度の傾斜角度をもつ傾斜面９５ｘにして形成するとともに、扉８１Ａの内側８０ｘにも傾斜面９５ｘと対向して傾斜させた対向面８０ｖをもつ突出部分８０ｔを設けて、扉８１Ａの補強と、例えば、図１１のような背面棚８１Ｄを設けるための枠体とを兼ねさせている。そして、前蓋８２Ａ・８３Ａ・８４Ａの場合には、突出部分８０ｔを設けた構成と、突出部分８０ｔを無くして、この部分を鎖線８０ｕで示した形状にした構成とがある。
【０００９】
さらに、密閉用部材７１は、扉型貯蔵室８１の場合には、図１１のように、扉８１の内側８０ｘの周縁に沿って囲むように形成してあり、図示していないが、引出型貯蔵室８２〜８４の場合にも、同様に、前蓋８２Ａ・８３Ａ・８４Ａの背面側の周縁に沿って囲むように形成してある。
【００１０】
また、扉８１Ａの場合には、図１０・図１１に鎖線で示したように、扉８１Ａの開閉によって作動させる電気的な切換作動部分５１Ａ、例えば、マイクロスイッチを本体９５の傾斜面９５ｘの箇所に配置するとともに、扉８１Ａの突出部分８０ｔの対向面８０ｖによって作動させることにより、扉８１Ａが開かれたときに、本体９５の内部を照明するための照明灯５１を点灯させたり、冷却機能部分（図示せず）の動作を停止させたりする構成を設けてある。
【００１１】
物品貯蔵室８１〜８４が物品を冷却または加温して貯蔵する貯蔵室の場合には、図１０において、本体９５と扉８１Ａ・前蓋８２Ａ・８３Ａ・８４Ａとの部分は、各外面側の外皮部分Ｍ１・Ｎ１を鋼板などで形成し、本体９５の内面側９５Ｃの外皮部分Ｍ２と扉８１Ａ・前蓋８２Ａ・８３Ａ・８４Ａの内側８０ｘの各外皮部分Ｎ２とをアクリル系合成樹脂材などで形成するとともに、これらの外皮部分で囲まれた内部の部分Ｍ３・Ｎ３を断熱性のよい材質、例えば、発泡ポリウレタンなどで形成している。
【００１２】
そして、本体９５の前面側の端面９５Ｂと対向する対向面８０ｙの外皮部分Ｎ２の箇所に、密閉用部材７１を取付用の溝穴８０ｚを設けるとともに、この溝穴８０ｚに、密閉用部材７１に設けた戻り止めの張出部分７１ｂを設けた突起７１Ｂを入れ込んで、密閉用部材７１を保持している。
【００１３】
また、扉型貯蔵室８１の場合には、例えば、扉８１の右端側に配置したヒンジ部分８１ｘを支点ｐ１にして、図９の〔扉型構成〕のように、左端側が手前側に開らくような開扉動作を行い、引出型貯蔵室８２〜８４の場合には、図９の〔引出型構成〕のように、ヒンジ部分８１ｘを支点ｐ１が無く、前蓋８２Ａ・８３Ａ・８４Ａの右端側と左端側とが同時に手前側に引き出されるような動作を行うものである。
【００１４】
ここで、図９の構成では、扉型貯蔵室８１を上段側に設け、引出型貯蔵室８２〜８４を中段・下段側に配置しているが、扉型貯蔵室８１を中段または下段に配置した物品貯蔵庫１００の構成（以下、第２従来技術という）も周知である。さらに、単一の扉型貯蔵室８１のみを設けた物品貯蔵庫１００の構成（以下、第３従来技術という）や、扉型貯蔵室８１を複数段重ねた物品貯蔵庫１００の構成（以下、第４従来技術という）も周知である。
【００１５】
さらに、温蔵庫において、上記の第１従来技術〜第４従来技術の構成を適用して構成（以下、第５従来技術とう）も周知である。
【００１６】
そして、上記の物品貯蔵室８１〜８４のような貯蔵室を有する物品貯蔵庫１００では、密閉構造７０の密閉用部材７１の箇所まで、室内の空気が対流してくるので、室内気温が直接的に密閉用部材７１の箇所まで熱伝達されてしまうため、室内気温の維持に不足が生ずる場合がある。
【００１７】
こうした室内気温の維持の不足を解消するための構成として、図１２・図１３のように、上記の対流を阻止する対流阻止用部材７６を配置することにより、密閉用部材７１と対流阻止用部材７６との間に熱伝達を隔離するための隔離区画３０を設けた構成（以下、第６従来技術という）が周知である。
【００１８】
図１２・図１３において、対流阻止部材７６は密閉用部材７１よりも奥側に配置してあり、扉８１Ａを閉じた際に、開口部分９５Ａの内側面９０Ｃの傾斜面９５ｘと扉８１Ａの対向面８０ｖとに対流阻止部材７６を密接させて、密閉構造７０の奥側に、熱伝達を隔離するための小さい隔離区画３０を形成するようにしたものである。
【００１９】
対流阻止用部材７６は、密閉用部材７１のパッキン部分７１ｘと同様の柔軟な合成樹脂材で形成してあり、図１２のように、対流阻止用部材７６の戻り止め付きの入込部分７６ｘを、扉８１Ａの対向面８０ｖの箇所の外皮Ｎ２に設けた入込穴７６ｙに入れ込んで保持してある。
【００２０】
そして、対流阻止用部材７６を対向面８０ｖの外周に沿って上下対称・左右対称に配置するとともに、隅角の部分に、横方向の対流阻止用部材７６と、縦方向の対流阻止用部材７６を連続させるための連続部分７６ｚを設けている。
【特許文献１】特開２０００−１６１８３８号公報（特許文献１は第１従来技術〜第４従来技術を開示している。）
【特許文献２】特開平１０−２３４５９０号公報（特許文献２は第５従来技術を開示している。）
【特許文献３】特開平６−１８０１７９号公報（特許文献３は第６従来技術を開示している。）
【発明の開示】
【発明が解決しようとする課題】
【００２１】
上記の第６従来技術による物品貯蔵庫１００では、開口部分９５Ａの内側面９５Ｃ、例えば、その傾斜面９５ｘに対する対流阻止用部材７６の密接を対流阻止用部材７６の柔軟性のみに依存しているため、密接力が不足して、細長い密接不良箇所が生じてしまい、そうした密接不良箇所から隔離区画３０に室内の空気が対流して熱伝達の隔離効果を低減させるという不都合が生ずる。
【００２２】
この不都合を解消するために、対流阻止用部材７６の根元側にばねなどによる弾力部材を設けて、上記の密接力を向上させる構成が試みられたが、こうした構成では、扉８１Ａを開いた場合に、対流阻止用部材７６が開口部分９５Ａの内側面９５Ｃ、例えば、その傾斜面９５ｘから外方に突出した状態になってしまう。
【００２３】
このため、扉８１Ａを開いて、物品を出し入れする際に、突出した対流阻止用部材７６に物品を引っ掛けてしまい、物品を落としたり、対流阻止用部材７６を破損させたりしてしまうという不都合がある。
【００２４】
このため、こうした不都合のない物品貯蔵庫ならびにその利用装置、例えば、冷蔵庫、温蔵庫などの提供が望まれているという課題がある。
【課題を解決するための手段】
【００２５】
この発明は、上記のような
物品を冷却または加温して貯蔵する貯蔵室８１の本体９５の開口部分９５Ａを閉じる扉、例えば、扉８１Ａと上記の開口部分８１Ａとの間に、前側の密閉用部材７１と奥側の対流阻止用部材７６とにより熱伝達の隔離区画３０を設けた物品貯蔵庫１００において次の構成を設けることにより上記の課題を解決したものである。
【００２６】
そして、第１の構成は、
上記の開口部分の内面側に配置したレバー状部材の従動側に上記の対流阻止用部材を設けるとともに、上記の扉を閉じる動作によって、上記の扉に設けられていて上記の開口部分の内側面と対向する対向面が上記のレバー状部材の作動側を作動することにより、上記の対流阻止用部材を上記の対向面に密接させて上記の隔離区画を形成する隔離区画形成手段と、
上記の開口部分の内側面に溝穴部分を設けるとともに、上記のレバー状部材に弾力部材を設けることにより、上記の扉を開いた際に、上記の弾力部材の弾力によって上記の保温用部材を上記の溝穴部分に入れ込んで収納する収納手段と
を設けて構成したものである。
【００２７】
第２の構成は、上記の第１の構成において、
磁石体を有する上記の密閉用部材を上記の開口部分の端面と対向する上記の扉の内側面との間に設けて構成したものである。
【００２８】
第３の構成は、上記の第１の構成・第２の構成において、
上記の扉によって作動させる電気的な切換作動部分を上記のレバー状部材の作動に連動させる連動構成を設けて構成したものである。
【００２９】
第４の構成は、冷蔵庫において、上記の第１の構成〜第３の構成の物品貯蔵庫を設けて構成したものである。
【００３０】
第５の構成は、温蔵庫において、上記の第１の構成〜第３の構成の物品貯蔵庫を設けて構成したものである。
【発明の効果】
【００３１】
この発明によれば、以上のように、レバー状部材の従動側に保温用部材を設けるとともに、扉を閉じる動作によってレバー状部材の作動側を作動させることにより対流阻止用部材を密接させるように構成しているため、確実で十分な熱伝達の隔離区画を形成できるので、貯蔵した物品の温度状態を十分に維持し得るようにした物品貯蔵庫ならびにその利用装置、例えば、冷蔵庫、温蔵庫などを提供することができる。
【００３２】
また、レバー状部材に設けた弾力部材によって、扉を開いた際に、対流阻止用部材を開口部分の内側面に設けた溝穴部分に入れ込んで収納しているため、物品の出し入れの際に、対流阻止用部材に引っ掛けて物品を落としたり、対流阻止用部材を破損させたりすることを無くし得るようにした物品貯蔵庫ならびにその利用装置、例えば、冷蔵庫、温蔵庫などを提供することができる。
【００３３】
さらに、電気的な切換作動部分をレバー状部材の作動に連動させるように構成しているので、本体の内側面に対流阻止用部材と電気的な切換作動部分とを併設する必要が無くなるため、電気的な切換作動部分によって熱伝達の隔離区画の形成が阻害されないので、確実で十分な温度状態の維持を行い得るようにした物品貯蔵庫ならびにその利用装置、例えば、冷蔵庫、温蔵庫などを提供することができるなどの特長が得られるという効果がある。
【発明を実施するための最良の形態】
【００３４】
この発明の実施の形態として、この発明を上記の第１従来技術〜第６従来技術の構成に適用した実施例を説明する。
【実施例１】
【００３５】
以下、図１〜図４により第１実施例を説明する。この第１実施例の構成が上記の図１２・図１３の第６従来技術による貯蔵室８１を有する物品貯蔵庫１００の構成と異なる箇所は次の箇所である。
【００３６】
つまり、第１には、図１のように、本体９５の開口部分９５Ａの内側面９５Ｃの箇所、例えば、内側面９５Ｃの傾斜面９５ｘの箇所に、レバー状に形成した部材、すなわち、レバー状部材７５を配置するとともに、レバー状部材７５の従動側７５Ｂには対流阻止用部材７６を設けておき、扉８１Ａを閉じる動作を行った際に、対向面８０ｖの動きによって、レバー状部材７５の作動側７５Ａを作動させるように構成した対流阻止用部材作動構造７０Ｘを設けた箇所である。
【００３７】
なお、対流阻止用部材７６は、図４のように、上下対称・左右対称に配置してあるが、隅角部分７６ｚ１の箇所だけは対流阻止用部材７６を設けないようにしてある。これは、隅角部分７６ｚ１の箇所では対流阻止用部材７６に付属する部分の構造が複雑になることと、隅角部分７６ｚ１の箇所程度の一部の箇所だけに、隔離区画３０が形成されていなくても、実験によれば、全体的にみれば、熱伝達の隔離効果が十分に得られたためである。
【００３８】
したがって、対流阻止用部材７６がレバー状部材７５の従動側７５Ｂによって、対向面８０ｖに強制的に押し付けられるので、仮に、対流阻止用部材７６の外面に多少の凹凸があったとしても、保温用部材７６の外面を対向面８０ｖに密接させることができるため、対流阻止用部材７６を設けた箇所では確実な熱伝達の隔離区画３０を形成させることができ、熱伝達の隔離効果を向上させることができる。
【００３９】
そして、レバー状部材７５は、傾斜面９５ｘの箇所に配置した支軸７５Ｃを支点ｐ２として、レバー、すなわち、「てこ」の動作を行うように構成してあり、レバー状部材７５の作動側７５Ａの作動方向７５ｒと、レバー状部材７５の従動側７５Ｂの従動方向７５ｓとが、水平面内において、逆方向に運動するように構成してある。
【００４０】
ここで、一般のレバーの場合には、支点ｐ２から作動側７５Ａの作用点ｐ３までの距離Ｄ１を支点ｐ２から従動側７５Ｂの作用点ｐ４までの距離Ｄ２の数倍の大きさにして、いわゆる「てこ」の作用をさせるものであるが、この発明におけるレバー状部材７６とは、図１のレバー状部材７５のように、支点ｐ２から作動側７５Ａの作用点ｐ３までの距離Ｄ１と、支点ｐ２から従動側７５Ｂの作用点ｐ４までの距離Ｄ２とを、ほぼ同程度の距離にすること、さらに、必要に応じて、距離Ｄ１を距離Ｄ２よりも小さくすることを含むものである。
【００４１】
また、第２には、扉８１Ａを開いた際に、レバー状部材７５に設けた弾力部材、例えば、従動側７５Ｂに配置した抗圧縮性のばね７５Ｄによって、従動側７５Ｂを作動方向７５ｒと逆方向に押し戻し、開口部分９５の内側面９５Ｃに設けた溝穴部分７８ｘの中に、対流阻止用部材７６を入れ込んで収納することにより、貯蔵室８１に物品を出し入れする際にも、物品に対流阻止用部材７６が引っ掛からぬように構成した箇所である。
【００４２】
なお、ここで、傾斜面９５ｘは、傾斜角度θ１を０°、すなわち、傾斜を無くして内側面９５Ｃと同一面に形成するとともに、対向面８０ｖも傾斜を無くして内側面９５Ａと平行な面にして構成してもよいものである。
【００４３】
また、この第１実施例の構成を上記の第５従来技術の構成のような温蔵庫に適用した場合にも、上記と同様の作用効果が得られることは言うまでもない。
【００４４】
つまり、上記の第１実施例の構成は、概括的には、第１には、物品を冷却または加温して貯蔵する貯蔵室８１の本体９５の開口部分９５Ａを閉じる扉、例えば、扉８１Ａと上記の開口部分８１Ａとの間に、前側の密閉用部材７１と奥側の対流阻止用部材７６とにより熱伝達の隔離区画３０を設けた物品貯蔵庫１００において、上記の開口部分９５Ａの内面側９５Ｃ、例えば、内側面９５Ｃの傾斜面９５ｘに配置したレバー状部材７５の従動側７５Ｂに上記の対流阻止用部材７６を設けるとともに、上記の扉８１Ａを閉じる動作によって、上記の扉８１Ａに設けられていて上記の開口部分９５Ａの内側面９５Ｃ、例えば、内側面９５Ｃの傾斜面９５ｘと対向する対向面８０ｖが上記のレバー状部材７５の作動側７５Ａを作動することにより、上記の対流阻止用部材７６を上記の対向面８０ｖに密接させて上記の隔離区画を形成する隔離区画形成手段と、上記の開口部分９５Ａの内側面９５Ｃ、例えば、内側面９５Ｃの傾斜面９５ｘに溝穴部分７８ｘを設けるとともに、上記のレバー状部材７５に弾力部材７５Ｄを設けることにより、上記の扉８１Ａを開いた際に、上記の弾力部材７５Ｄの弾力によって上記の対流阻止用部材７６を上記の溝穴部分７８ｘに入れ込んで収納する収納手段とを設けた上記の第１の構成を構成していることになるものである。
【００４５】
第２には、上記の第１の構成において、磁石体７１Ａを有する上記の密閉用部材７１を上記の開口部分９５Ａの端面９５Ｂと対向する上記の扉８１Ａの内側面８０ｙとの間に設けた上記の第２の構成を構成していることになるものである。
【００４６】
第３には、冷蔵庫において、上記の第１の構成〜第２の構成の物品貯蔵庫１００を設けて構成した上記の第４の構成を構成していることになるものである。
【００４７】
第４には、温蔵庫において、上記の第１の構成〜第３の構成の物品貯蔵庫１００を設けて構成した上記の第５の構成を構成していることになるものである。
【００４８】
そして、具体的には、図１〜図２において、本体９５の内側面９５Ｃの傾斜面９５ｘを形成する外皮部分Ｍ２には、レバー状部材７５の作動側７５Ａの先端側の部分を除く部分を入れ込むための凹穴７７を形成してあり、この凹穴７７に、レバー状部材７５の支軸７５Ｃを支える軸受部分７５ｃと、作動側７５Ａの先端側を作動のための運動ができるようにした四角穴７５ａと、対流阻止用部材７６の導板部分７６ｂが従動側に従って運動ができるようにしたスリット穴７５ｂとを設けた小さなフレーム部分７８を嵌め込んで固定してある。
【００４９】
レバー状部材７５の作動側７５Ａの先端側には曲面部分７５ｘを設けて対向面８０ｖに円滑に滑り接触させるとともに、レバー状部材７５の従動側７５Ｂの先端側には鉤爪部分７５ｙを設けて対流阻止用部材７６の取付溝部分７６ａに入れ込ませることにより対流阻止用部材７６を従動側７５Ｂに取り付けている。
【００５０】
レバー状部材７５は、強靭で耐食性の材質、例えば、ブルーイング処理したステンレス鋼、または、エポキシ系樹脂材などで構成してあり、また、フレーム部分７８は、外皮部分Ｍ２と同様の材質、例えば、アクリル系樹脂材などで形成してある。
【００５１】
対流阻止用部材７６は、柔軟材料、例えば、ウレタンゴムなどで形成してあり、上記の取付溝部分７６ａに連続させた上記の導板部分７６ｂを支点ｐ２を中心とする円弧状に形成するとともに、導板部分７６ｂの内側端に中空管状の密接用頭部分７６ｃを連続させて形成したものである。
【００５２】
そして、密接用頭部分７６ｃを無理に圧し潰した状態でスリット穴７５ｂを通すことによって、図のように、保持されるようにしたものである。したがって、レバー状部材７５の作動側７５Ａを作動方向７５ｒに動かすと、対流阻止用部材７６の導板部分７６ｂがスリット穴７５ｂ内を従動方向２５ｓに移動して対流阻止用部材７６の密接用頭部分７６ｃが対向面８０ｖに押し付けられて、確実な熱伝達の隔離区画３０が形成されることになる。
【００５３】
ここで、対流阻止用部材作動構造７０Ｘの密接閉動作を円滑に行わせるためには、扉８１Ａが図１の〔支点側／開扉状態〕から、徐々に閉じ方向に動いてゆき、図２のように、レバー状部材７５の作動側７５Ａに設けた先端側の曲面部分７５ｘが対向面８０ｖに接触し始めたときの接触点７５ｚ、すなわち、作用点ｐ３と支点ｐ２とを結ぶ線Ｌ１と対向面８０ｖとの間の角度θ３、すなわち、作用角度θ３を、なるべく小さい角度、例えば、６０°程度以下の角度にして、接触点７５ｚでの摩擦に対抗よる力の分力が、作動側７５Ａの先端側を対向面８０ｘに食い込ませるように作用を起こさせないように構成する必要がある。
【００５４】
なお、この作用は、図２のような支点ｐ２側での開閉動作時よりも、開扉側において、図３の〔開閉側／開扉状態〕から同図の〔開閉側／閉扉途中状態〕に移行する閉扉動作の方が起きやすいので、図３の〔開閉側／閉扉途中状態〕のように、レバー状部材７５の作動側７５Ａの先端側に設けた曲面部分７５ｘが対向面８０ｖに接触し始めたときの同様の角度θ３を、なるべく小さく、例えば、６０°程度以下の角度にしておくことが必要である。
【００５５】
そして、レバー状部材７５を設ける箇所は、図４のように、適宜の間隔をおいた箇所、例えば、上下に各３箇所、左右に各３箇所などのように間隔配置すればよい。
【００５６】
したがって、レバー状部材７５を設けない箇所では、例えば、図５のように、レバー状部材７５の従動側７５Ｂの部分に相当する部分と、対流阻止用部材７６の部分が設けられることになり、この箇所では、凹穴７７とフレーム部分７８との奥行きの大きさを小さくして構成してある。なお、フレーム部分７８の取り付けは、例えば、フレーム部分７８に設けた掛け爪７８ａを外皮部分Ｍ２に設けた掛け穴７８ｂに入れ込んで取り付けている。
【００５７】
そして、上記の構成を温蔵庫に適用して構成する場合には、各部の材料を、その温度に見合った温度に耐える材質の材料に変更して構成する必要があることは言うまでもない。
【実施例２】
【００５８】
以下、図６により第２実施例を説明する。この第２実施例の構成が上記第１実施例の構成と異なる箇所は次の箇所である。
【００５９】
第１には、上記の図１〜図５で説明した構成に加えて、図１０・図１１により説明した電気的な切換作動部分５１Ａを、図６のように、レバー状部材７５の作動に連動させる連動構成５０を設けて構成した箇所である。なお、この連動構成５０は、図４のように、複数箇所に配置したレバー状部材７５のうちの任意の１つ、または、必要に応じて、任意の複数に設けて構成するものである。
【００６０】
第２には、連動構成５０の部分を、図６のように、レバー状部材７５の従動側７５Ｂによって、電気的な切換作動部分５１Ａ、例えば、マイクロスイッチ５１ａのアクチェータ５１ｂを作動させるように構成した箇所である。なお、マイクロスイッチ５１ａは、例えば、ねじ止めなどによって、凹穴７７の側面壁部に取り付けてある。
【実施例３】
【００６１】
以下、図７により第３実施例を説明する。この第３実施例の構成が上記第２実施例の構成と異なる箇所は次の箇所である。
【００６２】
つまり、連動構成５０の部分を、図６のマイクロスイッチ５１ａに代えて、図７のように、レバー状部材７５の従動側７５Ｂに付設した磁石体５１ｃによって、リードスイッチ５１ｄを作動させるように構成した箇所である。なお、磁石体５１ｃは、例えば、接着によって従動側７５Ｂに固定し、リードスイッチ５１ｄは、例えば、接着によって凹穴７７の側面壁部に固定してある。
【００６３】
上記の第２実施例・第３実施例の構成は、概括的には、第１には、上記の第１の構成・第２の構成において、上記の扉８１Ａによって作動させる電気的な切換作動部分５１Ａ、例えば、マイクロスイッチ５１ａ、磁石体５１ｃ・リードスイッチ５１ｄなどによるスイッチの作動部分を上記のレバー状部材７５の作動、例えば、従動側７５Ｂの作動に連動させる連動構成を設けた上記の第３の構成を構成していることになるものである。
【００６４】
また、第２には、冷蔵庫において、上記の第３の構成の物品貯蔵庫１００を設けて構成した上記の第４の構成を構成していることになるものである。
【００６５】
また、第３には、温蔵庫において、上記の第３の構成の物品貯蔵庫１００を設けて構成した上記の第５の構成を構成していることになるものである。
【００６６】
そして、これらの構成によれば、本体９５の内側面９５Ｃの箇所に、レバー状部材７５・対流阻止用部材７６による熱伝達の隔離区画３０の形成と、電気的な切換作動部分５１Ａとを併設する必要が無くなるため、電気的な切換作動部分５１Ａによってレバー状部材７５・対流阻止用部材７６の配置が阻害されないので、確実で十分な熱伝達の隔離区画３０を設けることができる。
【産業上の利用可能性】
【００６７】
この発明は次のように変形して実施することを含むものである。
【００６８】
（１）上記の第１の構成〜第５の構成におけるレバー状部材７５の配置に代えて、図８のように、レバー状部材７５の従動側７５Ｂを手前側に、レバー状部材７５の作動側７５Ａを奥側に位置付けて配置するように変更して構成する。
この構成の場合には、レバー状部材７５の作用角度θ３が逆向きになるため、作用角度θ３を相当大きい角度、例えば、８０°程度にした場合でも、円滑に作動させることができる。
（２）上記の第１の構成〜第５の構成における隅角部分７６ｚ１にも保温部材７６を設けて構成する。
（３）上記の第３の構成におけるリードスイッチ５１ｄに代えて、ホール効果素子を設けることにより、磁石体５１ｃによってホール効果素子を作動させるようにした変更して構成とする。
（４）上記（１）〜（３）と上記の第１の構成〜第５の構成とを上記の第２従来技術〜第４従来技術の構成に適用して構成する。
（５）上記（１）〜（３）と上記の第１の構成〜第５の構成とを上記の第１従来技術〜第４従来技術の構成における〔引出型貯蔵室〕の構成に適用して構成する。
【図面の簡単な説明】
【００６９】
【図１】この発明の実施例の要部構成横断平面図である。
【図２】この発明の実施例の要部構成横断平面図である。
【図３】この発明の実施例の要部構成横断平面図である。
【図４】この発明の実施例の要部構成外観正面図である。
【図５】この発明の実施例の要部構成横断平面図である。
【図６】この発明の実施例の要部構成横断平面図である。
【図７】この発明の実施例の要部構成横断平面図である。
【図８】この発明の実施例の要部構成横断平面図である。
【図９】従来技術の全体構成外観斜視・要部横断平面図である。
【図１０】従来技術の要部構成平面図である。
【図１１】従来技術の要部構成外観正面図である。
【図１２】従来技術の要部構成横断平面図である。
【図１３】従来技術の要部構成外観正面図である。
【符号の説明】
【００７０】
３０  隔離区画
５０  連動構成
５１  照明灯
５１Ａ  切換作動部分
５１ａ  マイクロスイッチ
５１ｂ  アクチェータ
５１ｃ  磁石体
５１ｄ  リードスイッチ
７０  密閉構造
７０Ｘ  対流阻止用部材作動構造
７１  密閉用部材
７１Ａ  磁石体
７１Ｂ  突起
７１ｂ  張出部分
７１ｘ  パッキン部分
７１ｙ  伸縮部分
７５  レバー状部材
７５Ａ  作動側
７５Ｂ  従動側
７５Ｃ  支軸
７５Ｄ  弾力部材（ばね）
７５ａ  四角穴
７５ｂ  スリット穴
７５ｃ  軸受部分
７５ｒ  作動方向
７５ｓ  従動方向
７５ｘ  曲面部分
７５ｙ  鉤爪部分
７５ｚ  接触点
７６  対流阻止用部材
７６ａ  取付溝部分
７６ｂ  導板部分
７６ｃ  密接用頭部分
７６ｘ  入込部分
７６ｙ  入込穴
７６ｚ  連続部分
７６ｚ１  隅角部分
７７  凹穴
７８  フレーム部分
７８  掛け爪
７８ｂ  掛け穴
７８ｘ  溝穴部分
８０ｔ  突出部分
８０ｕ  形状変更線
８０ｖ  対向面
８０ｘ  内側
８０ｙ  対向面
８０ｚ  溝穴
８１  貯蔵室（扉型貯蔵室）
８１Ａ  扉
８１Ｄ  背面棚
８１ｘ  ヒンジ部分
８２  貯蔵室（引出型貯蔵室）
８２Ａ  前蓋
８３  貯蔵室（引出型貯蔵室）
８３Ａ  前蓋
８４  貯蔵室（引出型貯蔵室）
８４Ａ  前蓋
８４Ｂ  引出部分
９５  本体
９５Ａ  開口部分
９５Ｂ  端面
９５Ｃ  内側面
９５ｘ  傾斜面
１００  物品貯蔵庫
Ｄ１  距離
Ｄ２  距離
Ｌ１  線
ｐ１  支点
ｐ２  支点
ｐ３  作用点
ｐ４  作用点
θ１  傾斜角度
θ３  作用角度
【図１】
2005049033.tif 000003
【図２】
2005049033.tif 000004
【図３】
2005049033.tif 000005
【図４】
2005049033.tif 000006
【図５】
2005049033.tif 000007
【図６】
2005049033.tif 000008
【図７】
2005049033.tif 000009
【図８】
2005049033.tif 000010
【図９】
2005049033.tif 000011
【図１０】
2005049033.tif 000012
【図１１】
2005049033.tif 000013
【図１２】
2005049033.tif 000014
【図１３】
2005049033.tif 000015